(57)【要約】【課題】コストアップに繋がる余分な部品を追加することなく、容易に端子カバーを開いて端子を露出させることができると共に、端子カバーが軸挿通孔から容易には外れないようにする。【解決手段】携帯電話機の裏面側キャビネット５ｂに設けた、端子部を露出させるための挿入口１１と軸挿通孔１３とを有する接続用凹部１２を覆う端子カバー１０において、接続用凹部１２を覆うカバー本体１５と、軸挿通孔１３に圧入しながら挿入され、カバー本体１５を回動自在に保持する軸本体１６とを設ける。この軸本体１６に円柱部１６ａを設け、この円柱部１６ａの先端側に円柱部１６ａよりも大きな径を有する大径部１６ｂを設ける。大径部１６ｂの先端に軸本体１６を軸挿通孔１３に挿通するときに開くスリット２０を形成する。【選択図】図１
2008192536.tif 000002
【特許請求の範囲】
【請求項１】
携帯端末の筐体に設けられ、端子部を露出させるための挿入口と軸挿通孔とを有する接続用凹部を覆う端子カバーであって、
上記接続用凹部を覆うカバー本体と、
上記カバー本体に設けられ、上記軸挿通孔に圧入しながら挿入され、該カバー本体を回動自在に保持する軸本体とを備え、
上記軸本体は、
円柱部と、
該円柱部の先端側に設けられ、該円柱部よりも大きな径を有する大径部と、
を有し、
上記大径部の先端には、上記軸本体を軸挿通孔に挿入するときに開くスリットが形成されている
こと特徴とする携帯端末の端子カバー。
【請求項２】
携帯端末の筐体に設けられ、端子部を露出させるための挿入口と軸挿通孔とを有する接続用凹部を覆う端子カバーであって、
上記接続用凹部を覆うカバー本体と、
上記カバー本体に設けられ、上記軸挿通孔に圧入しながら挿入され、該カバー本体を回動自在に保持する軸本体とを備え、
上記軸本体は、
円柱部と、
該円柱部の先端側に設けられ、該円柱部よりも大きな径を有する大径部と、
を有し、
上記大径部の先端には、上記軸本体を軸挿通孔に挿入するときに開く溝部が形成されている
こと特徴とする携帯端末の端子カバー。
【請求項３】
請求項１又は２に記載の携帯端末の端子カバーにおいて、
上記大径部は、先端側に向かって小径となる円錐台形をなし、
上記スリット又は溝部は、上記大径部を軸方向に沿って先端側から２つに分割するように形成されている
こと特徴とする携帯端末の端子カバー。
【請求項４】
請求項３に記載の携帯端末の端子カバーにおいて、
上記スリット又は溝部は、上記大径部を軸方向から見て左右対称に分割するように形成されている
こと特徴とする携帯端末の端子カバー。
【請求項５】
請求項１又は２に記載の携帯端末の端子カバーにおいて、
上記スリット又は溝部は、上記大径部を軸方向に沿って先端側から４分割するように形成されている
こと特徴とする携帯端末の端子カバー。
【請求項６】
請求項５に記載の携帯端末の端子カバーにおいて、
上記スリット又は溝部は、上記大径部を軸方向から見て左右及び上下対称に分割するように形成されている
こと特徴とする携帯端末の端子カバー。
【請求項７】
請求項１乃至６のいずれか１つに記載の携帯端末の端子カバーにおいて、
エラストマ及びゴムの少なくとも一方よりなる
こと特徴とする携帯端末の端子カバー。
【請求項８】
請求項１乃至７のいずれか１つに記載の携帯端末の端子カバーにおいて、
上記携帯端末の端子カバーは、イヤホンマイク用の端子部を覆うカバーである
こと特徴とする携帯端末の端子カバー。
【請求項９】
請求項１乃至７のいずれか１つに記載の携帯端末の端子カバーにおいて、
上記携帯端末の端子カバーは、充電端子を覆うカバーである
こと特徴とする携帯端末の端子カバー。
【請求項１０】
請求項１乃至７のいずれか１つに記載の携帯端末の端子カバーにおいて、
上記携帯端末の端子カバーは、カード挿入部を覆うカバーである
こと特徴とする携帯端末の端子カバー。
【請求項１１】
上記携帯端末は、携帯電話機である
ことを特徴とする請求項１乃至１０のいずれか１つに記載の携帯端末の端子カバー。
【請求項１２】
端子挿入口及び軸挿通孔を備えた接続用凹部を有する筐体と、
上記接続用凹部を覆うための請求項１乃至１０のいずれか１つに記載の携帯端末の端子カバーとを備える
ことを特徴とする携帯端末。
【発明の詳細な説明】
【技術分野】
【０００１】
本発明は、携帯端末の端子部のカバー及びそれを備えた携帯端末に関する。
【背景技術】
【０００２】
従来より、携帯電話機に代表される携帯端末は、充電用の端子部や、カード挿入口や、マイク端子を挿入するためのマイク端子部などを備え、それらを端子カバーによって覆っている。このような携帯端末では、充電をするときには、端子カバーを開いて端子部にコネクタを差し込んで充電し、また、カード使用時は、端子カバーを開閉してカードを抜き差しし、使用しないときは端子カバーをする。また、マイク端子を挿入するときも、端子カバーを開閉してマイク端子を抜き差しし、使用しないときは端子カバーをするようにしている。
【０００３】
そして、端子カバーは、組立作業者にとっては取り付けやすく外れにくいことが望まれるものの、ユーザーにとっては外れやすい方を望む人もあれば、外れにくい方を望む人もいる。外れやすくすると端子カバーの紛失の危険性があり、外れにくくすると手間がかかる。
【０００４】
例えば、特許文献１のものでは、電子機器の端子保護カバーを、筐体に対して、保護カバー使用時実装方向とは異なる１方向に向けたときだけに圧入できるようにすることにより、圧入方向以外では端子保護カバーを非常に抜けにくくしている。また、端子保護カバーにはゴム等の弾性材料を使用し、且つ、フック部に舌状片と突起の組み合わせ形状を採用することにより、外部端子使用時に端子保護カバーを常時実装方向から回動させて取り付け時の圧入方向にした場合であっても、端子保護カバーを抜けにくくしている。
【０００５】
特許文献２では、電子機器への端子カバー取り付け構造に、電子機器の筐体の側面に位置し、外部接続コネクタとの接続用の嵌合部の近傍に位置する端子磁石部を有する外部接続端子と、外部接続端子の近傍に位置する筐体磁石部と、エラストマ樹脂で成形され、支点で折り返され、カバー磁石部を有し、カバー磁石部と外部接続端子の端子磁石部と磁力で結合し外部接続端子を閉じ、端子磁石部との結合を解除して外部接続端子を開き、筐体磁石部と磁力で結合し、筐体の側面に密着し、外部接続端子の嵌合部に外部接続コネクタを接続させるための端子カバーとを設け、取り付け構造を簡素化して部品の生産性、端子カバーの取り扱い性を向上させるようにしている。
【特許文献１】特開２００５−２２８７５６号公報
【特許文献２】特開２００６−２６２０５２号公報
【発明の開示】
【発明が解決しようとする課題】
【０００６】
上記特許文献１のものでは、端子カバーが外れにくくなるものの、端子接続時に端子カバーを回動させると、意図せず外れてしまうことがある。
【０００７】
上記特許文献２のものでは、専用の磁石を設けなければならず、部品点数が増えて製造コストが高くなるという問題がある。
【０００８】
本発明は、かかる点に鑑みてなされたものであり、その目的とするところは、コストアップに繋がる余分な部品を追加することなく、容易に端子カバーを開いて端子を露出させることができると共に、端子カバーが軸挿通孔から容易には外れないようにすることにある。
【課題を解決するための手段】
【０００９】
上記目的を達成するために、本発明では、軸本体を接続用凹部の軸挿通孔に挿通する際に、先端の大径部が開くようにした。
【００１０】
具体的には、第１の発明では、携帯端末の筐体に設けられ、端子部を露出させるための挿入口と軸挿通孔とを有する接続用凹部を覆う端子カバーを対象とする。
【００１１】
そして、携帯端末の端子カバーは、
上記接続用凹部を覆うカバー本体と、
上記カバー本体に設けられ、上記軸挿通孔に圧入しながら挿入され、該カバー本体を回動自在に保持する軸本体とを備え、
上記軸本体は、
円柱部と、
該円柱部の先端側に設けられ、該円柱部よりも大きな径を有する大径部と、
を有し、
上記大径部には、上記軸本体を軸挿通孔に挿入するときに開くスリットが形成されている。
【００１２】
上記の構成によると、軸本体を接続用凹部の軸挿通孔に挿通する際に、大径部のスリットが開くので、容易に軸本体が挿入される。一方、一度挿入した後は、スリットが閉じて大径部が軸挿通孔の周縁に引っ掛かるので、端子部を露出させるときに、端子カバーを開いて軸本体を中心にカバー本体を回動させても軸本体が軸挿通孔から抜け出すことが防止される。また、軸本体にスリットを設けるだけなので、コストアップとならない。
【００１３】
また、第２の発明では、携帯端末の筐体に設けられ、端子部を露出させるための挿入口と軸挿通孔とを有する接続用凹部を覆う端子カバーを対象とする。
【００１４】
そして、携帯端末の端子カバーは、
上記接続用凹部を覆うカバー本体と、
上記カバー本体に設けられ、上記軸挿通孔に圧入しながら挿入され、該カバー本体を回動自在に保持する軸本体とを備え、
上記軸本体は、
円柱部と、
該円柱部の先端側に設けられ、該円柱部よりも大きな径を有する大径部と、
を有し、
上記大径部には、上記軸本体を軸挿通孔に挿入するときに開く溝部が形成されている。
【００１５】
上記の構成によると、軸本体を接続用凹部の軸挿通孔に挿通する際に、大径部の溝部が開くので、容易に軸本体が挿入される。一方、一度挿入した後は、溝部の隙間が閉じて大径部が軸挿通孔の周縁に引っ掛かるので、端子部を露出させるときに、端子カバーを開いて軸本体を中心にカバー本体を回動させても軸本体が軸挿通孔から抜け出すことが防止される。また、軸本体にスリットを設けるだけなので、コストアップとならない。
【００１６】
第３の発明では、第１又は第２の発明において、
上記大径部は、先端側に向かって小径となる円錐台形をなし、
上記スリット又は溝部は、上記大径部を軸方向に沿って先端側から２つに分割するように形成されている。
【００１７】
上記の構成によると、軸本体を接続用凹部の軸挿通孔に挿通する際に、先端側からスリット又は溝部が開いて大径部が２つに分かれるので、容易に軸本体が挿入される。挿入後は、軸本体を抜き出す方向に力がかかっても、スリット又は溝部を閉じる方向に力が加わるので、大径部が軸挿通孔周縁に引っ掛かって容易に抜け出さない。
【００１８】
第４の発明では、第３の発明において、
上記スリット又は溝部は、上記大径部を軸方向から見て左右対称に分割するように形成されている。
【００１９】
上記の構成によると、上記スリット又は溝部は、軸本体を接続用凹部の軸挿通孔に挿通する際に、スリットが開いて大径部が均等に２つに分かれるので、容易に軸本体が挿入される。
【００２０】
第５の発明では、第１又は第２の発明において、
上記スリット又は溝部は、上記大径部軸方向に沿って先端側から４分割するように形成されている。
【００２１】
上記の構成によると、軸本体を接続用凹部の軸挿通孔に挿通する際に、先端側からスリット又は溝部が開いて大径部が４つに分かれるので、容易に軸本体が挿入される。挿入後は、軸本体を抜き出す方向に力がかかっても、スリット又は溝部を閉じる方向に力が加わるので、大径部が軸挿通孔周縁に引っ掛かって容易に抜け出さない。
【００２２】
第６の発明では、第５の発明において、
上記スリット又は溝部は、上記大径部を軸方向から見て左右及び上下対称に分割するように形成されている。
【００２３】
上記の構成によると、軸本体を接続用凹部の軸挿通孔に挿通する際に、スリット又は溝部が開いて大径部が均等に４つに分かれるので、容易に軸本体が挿入される。
【００２４】
第７の発明では、第１乃至第６のいずれか１つの発明において、
エラストマ及びゴムの少なくとも一方よりなる。
【００２５】
上記の構成によると、適度な弾性を有して取り付けやすく外れにくく、且つ美観に優れたカバーの製造を非常に安価に行うことができる。
【００２６】
第８の発明では、第１乃至第７のいずれか１つの発明において、
上記携帯端末の端子カバーは、イヤホンマイク用の端子部を覆う携帯端末の端子カバーである。
【００２７】
上記の構成によると、イヤホンマイク用の端子部を使用しても端子カバーが紛失せず、また、不使用時には、防塵、防水の効果がある。
【００２８】
第９の発明では、第１乃至第７のいずれか１つの発明において、
上記携帯端末の端子カバーは、充電端子を覆う携帯端末の端子カバーである。
【００２９】
上記の構成によると、充電端子を使用しても端子カバーが紛失せず、また、不使用時には、防塵、防水の効果がある。
【００３０】
第１０の発明では、第１乃至第７のいずれか１つの発明において、
上記携帯端末の端子カバーは、カード挿入部を覆う携帯端末の端子カバーである。
【００３１】
上記の構成によると、カードを使用しても端子カバーが紛失せず、また、不使用時には、防塵、防水の効果がある。
【００３２】
第１１の発明では、第１乃至第１０のいずれか１つの発明において、
上記携帯端末は、携帯電話機とする。
【００３３】
上記の構成によると、端子を使用しても端子カバーが紛失せず、また、不使用時には、防塵、防水の効果を有するので、携帯電話機の携帯性が向上する。
【００３４】
第１２の発明では、携帯端末は、
端子挿入口及び軸挿通孔を備えた接続用凹部を有する筐体と、
上記接続用凹部を覆うための第１乃至第１０のいずれか１つの発明の携帯端末の端子カバーとを備えている。
【００３５】
上記の構成によると、挿入しやすく、抜けにくい端子カバーを有する携帯端末が得られる。
【発明の効果】
【００３６】
以上説明したように、本発明によれば、接続用凹部を覆う端子カバーにおいて、軸本体先端の大径部に、軸本体を軸挿通孔に挿通するときに開くスリット又は溝部を設けたことにより、コストアップに繋がる余分な部品を追加することなく、容易に端子カバーを開いて端子を露出させることができると共に、端子カバーが軸挿通孔から容易に外れないので、その紛失を防止することができる。
【発明を実施するための最良の形態】
【００３７】
以下、本発明の実施形態を図面に基づいて説明する。
【００３８】
図２は、本発明の実施形態にかかる携帯端末としての携帯電話機１の開いた状態を示す斜視図である。図３は、携帯電話機１の閉じた状態を右側から見た側面図である。
【００３９】
携帯電話機１は、表面側に表示部２を有する第１の筐体３と、表面側に操作部４を有する第２の筐体５とを備え、これら第１の筐体３と第２の筐体５とがヒンジ部６によって折畳み開閉自在に接続されている。例えば、第１の筐体３の表面側には、スピーカ部７が設けられ、第２の筐体５の表面側に送話部８が設けられている。
【００４０】
図４に拡大して示すように、第２の筐体５の側面には、イヤホンマイク用の端子部（図示せず）をカバーする端子カバー１０が設けられている。具体的には、第２の筐体５は、表面側を覆う表面側キャビネット５ａと、裏面側を覆う携帯電話機１の筐体としての裏面側キャビネット５ｂとを備えている。この裏面側キャビネット５ｂには、イヤホン用の端子部を露出させるための矩形状の挿入口１１が形成された接続用凹部１２が設けられている。接続用凹部１２は、裏面側キャビネット５ｂの表面を略矩形状に内側へ凹陥させたもので、挿入口１１の下方には、円形の軸挿通孔１３が形成されている。接続用凹部１２の上端周縁には、端子カバー１０を剥ぐ際にユーザーの爪を挿入するための爪挿入用凹部１２ａが凹陥されている。
【００４１】
端子カバー１０は、エラストマ単体、ゴム単体、又はエラストマとゴムとを一体成形したもののいずれで構成してもよい。このことで、非常に安価で適度な弾性を有し、装飾が容易な端子カバー１０カバーが形成される。
【００４２】
図５に示すように、端子カバー１０は、接続用凹部１２を覆う略矩形板状のカバー本体１５を備えている。このカバー本体１５の内面には、上記軸挿通孔１３に圧入しながら挿入される軸本体１６が突設されている。軸本体１６は、円柱部１６ａと、この円柱部１６ａよりも先端側に該円柱部１６ａよりも大きな径を有する大径部１６ｂとを有している。この軸本体１６が軸挿通孔１３に挿通されることで、カバー本体１５が軸本体１６によって回動自在に保持されるようになっている。また、上記爪挿入用凹部１２ａに対応するように、カバー本体１５の上端には、爪挿入部１５ａが凹陥されている。さらに、カバー本体１５における軸本体１６の上方表面には、カバー本体１５を折り曲げてイヤホン用の端子部を露出させるための折曲用凹部１５ｂが形成されている。
【００４３】
端子カバー１０の上側には、接続用凹部１２の側壁に係止される一対の係止爪１７が突設されている。この係止爪１７が挿入口１１に係止されることで、カバー本体１５が意図せずめくれないように密閉状に覆っている。
【００４４】
そして、本発明の特徴として、図１及び図６に拡大して示すように、大径部１６ｂには、軸本体１６を軸挿通孔１３に挿入するときに開くスリット２０が形成されている。大径部１６ｂは、先端側に向かって小径となる円錐台形をなし、スリット２０は、大径部１６ｂの先端から軸方向に延び、大径部１６ｂを軸方向から見て上下対称（左右対称でもよい）に２つに分割するように形成されている。このスリット２０を設けることで、軸本体１６を接続用凹部１２の軸挿通孔１３に挿通する際に、スリット２０が開いて大径部１６ｂが均等に上下に２つに分かれるようになっている。
【００４５】
図６に示すように、軸挿通孔１３の直径ｄは円柱部１６ａの直径Ｄ２よりも大きく、大径部１６ｂの基端の直径Ｄ１よりも小さくなっている（Ｄ２＜ｄ＜Ｄ１）。スリット２０を設けて挿入しやすくしたことにより、スリット２０を設けない場合に比べて大径部１６ｂの基端の直径Ｄ１を大きくすることができるので、軸本体１６を圧入した後は大径部１６ｂの基端側が軸挿通孔１３の周縁に引っ掛かって自然に外れないようになっている。
【００４６】
−端子カバーの使用方法−
次に、本実施形態にかかる端子カバー１０の使用方法について説明する。
【００４７】
まず、端子カバー１０の組付方法について説明する。
【００４８】
端子カバー１０を裏面側キャビネット５ｂの接続用凹部１２に組み付けるには、まず、その軸本体１６を軸挿通孔１３に挿通する。図１（ａ）に示すように、白矢印の方向に力を加えて大径部１６ｂを軸挿通孔１３に押し込む。
【００４９】
すると、図１（ｂ）に示すように、大径部１６ｂのスリット２０が先端側から均等に上下に２分割されるように広がる。このため、非常に軸本体１６が挿入しやすい。
【００５０】
図１（ｃ）に示すように、大径部１６ｂが挿入されると、開いていたスリット２０が閉じ、大径部１６ｂの基端周縁が軸挿通孔１３周縁に引っ掛かる。このため、軸本体１６を引き抜く方向に力が加わっても、スリット２０を開く方向ではなく閉じる方向に力が加わるので、軸本体１６が容易に抜けることはない。
【００５１】
最後にカバー本体１５の係止爪１７を接続用凹部１２に圧入することで、端子カバー１０によって接続用凹部１２が密閉状に覆われる。このように、端子カバー１０によって挿入口１１がしっかりと覆われているので、防塵、防水の効果がある。
【００５２】
次いで、端子カバー１０を剥いでイヤホンマイク用の端子部を使用する方法について説明する。
【００５３】
まず、爪を爪挿入用凹部１２ａに滑らせて爪挿入部１５ａに引っ掛け、カバー本体１５を剥いで、折曲用凹部１５ｂを境に折り曲げる。
【００５４】
次いで、折り曲げたカバー本体１５を軸本体１６を中心に回動させて固定する。このとき、軸本体１６の大径部１６ｂは、一度挿入した後は、スリット２０が閉じて軸挿通孔１３の周縁に引っ掛かるので、軸本体１６が軸挿通孔１３から容易に抜け出すことはない。このため、イヤホンマイク用の端子部を使用しても端子カバー１０を紛失することはない。
【００５５】
そして、挿入孔１１にイヤホンマイクの端子（図示せず）を差し込むことで、イヤホンマイクの使用が可能となる。
【００５６】
使用後には、イヤホンマイクの端子を抜き、カバー本体１５を軸本体１６を中心に回動させて再び接続用凹部１２を覆う。
【００５７】
−実施形態の効果−
したがって、本実施形態にかかる携帯電話機１によると、軸本体１６先端の大径部１６ｂに、軸本体１６を軸挿通孔１３に挿入するときに開くスリット２０を設けたことにより、コストアップに繋がる余分な部品を追加することなく、容易に端子カバー１０を開いて端子を露出させることができると共に、端子カバー１０が軸挿通孔１３から容易に外れないので、その紛失を防止することができる。また、軸本体１６にスリット２０を設けるだけなので、コストアップを防ぐことができる。
【００５８】
−実施形態の変形例−
上記実施形態では、大径部１６ｂにスリット２０を設けたが、軸本体１６を軸挿通孔１３に挿入するときに大径部１６ｂの先端側を開きやすくする溝部１２０を設けてもよい。すなわち、溝部１２０は、大径部１６ｂの先端に直径方向に延びると共に、軸方向基端側へ凹陥されたものとする。軸本体１６を軸挿通孔１３に圧入するときには、大径部１６ｂの先端側が開くので、挿入が容易であるが、軸本体１６を引き抜こうとすると、溝部１２０を押しつぶす方向に力が加わり、溝部１２０が押しつぶされ、それ以上大径部１６ｂの外径Ｄ１が小さくなることはないので、軸本体１６が容易に抜け出すことはない。このように、溝部１２０を設けた場合でも、上記実施形態と同様の作用効果が得られる。
【００５９】
（その他の実施形態）
本発明は、上記実施形態について、以下のような構成としてもよい。
【００６０】
端子カバー１０は、充電端子を覆う携帯端末の端子カバー１０としてもよく、カード挿入部を覆う端子カバー１０としてもよい。このことで、上記実施形態と同様に、充電端子やカードを使用しても端子カバー１０が紛失せず、また、不使用時には、防塵、防水の効果を得ることができる。
【００６１】
上記実施形態では、スリット２０を大径部１６ｂを軸方向から見て上下対称に２つに分割するように形成したが、上下又は左右非対称に形成してもよい。その場合には、薄肉側が開きやすくなる。
【００６２】
上記実施形態では、スリット２０は、大径部１６ｂを２分割するように設けたが、大径部１６ｂを軸方向に沿って先端側から４分割するように形成してもよい。このことで、軸本体１６を接続用凹部１２の軸挿通孔１３に挿通する際に、先端側からスリット２０が開いて大径部１６ｂが４つに分かれるので、容易に軸本体１６が挿入される。挿入後は、軸本体１６を抜き出す方向に力がかかっても、スリット２０を閉じる方向に力が加わるので、軸本体１６は容易に抜け出さない。このとき、スリット２０は、大径部１６ｂを左右及び上下対称に分割するように形成するとよい。このことで、スリット２０は、軸本体１６を接続用凹部１２の軸挿通孔１３に挿通する際に、スリット２０が開いて大径部１６ｂが均等に４つに分かれるので、容易に軸本体１６を挿入することができる。
【００６３】
上記実施形態では、携帯端末は、携帯電話機１としたが、ＰＣ、ＰＨＳ、ＰＤＡ、モバイルツール、電子辞書、電卓、複写機等であってもよい。
【００６４】
なお、以上の実施形態は、本質的に好ましい例示であって、本発明、その適用物や用途の範囲を制限することを意図するものではない。
【図面の簡単な説明】
【００６５】
【図１】軸本体を軸挿通孔に挿通する様子を示す断面図であり、（ａ）が挿入する瞬間を示し、（ｂ）が大径部が挿通孔を通過する状態を示し、（ｃ）が大径部が軸挿通孔を通過した後の状態を示す。
【図２】本実施形態にかかる携帯電話機の開いた状態を示す斜視図である。
【図３】携帯電話機の閉じた状態を示す側面図である。
【図４】接続用凹部及びその周辺を拡大して示す斜視図である。
【図５】端子カバーを示し、（ａ）が側面図で、（ｂ）が正面図である。
【図６】軸挿通孔及び軸本体の寸法を比較する断面図である。
【図７】実施形態の変形例にかかる携帯電話機の図６相当図である。
【符号の説明】
【００６６】
１      携帯電話機（携帯端末）
５ｂ    裏面側キャビネット（筐体）
６      ヒンジ部
１０      端子カバー
１１      挿入口
１２      接続用凹部
１３      軸挿通孔
１５      カバー本体
１６      軸本体
１６ａ    円柱部
１６ｂ    大径部
１７      係止爪
２０      スリット
１２０      溝部
【図１】
2008192536.tif 000003
【図２】
2008192536.tif 000004
【図３】
2008192536.tif 000005
【図４】
2008192536.tif 000006
【図５】
2008192536.tif 000007
【図６】
2008192536.tif 000008
【図７】
2008192536.tif 000009